(57)【特許請求の範囲】
【請求項１】
送信チャンネルを経て送信された受信信号を処理するための方法であって、第１時間(ｔk)に受信された受信信号(ｙ)に基づいて上記チャンネルの推定インパルス応答関数(ｈk)を推定し、少なくとも１つの以前に推定されたインパルス応答関数に基づいて経歴情報(ｗｉｎk)を導出し、上記経歴情報(ｗｉｎk)に基づいて変更情報(ｍｗｉｎk)を計算し、そして上記受信信号(ｙ)に基づいて得た上記チャンネルの上記推定されたインパルス応答関数(ｈk)に上記変更情報(ｍｗｉｎk)を適用することにより、上記受信信号(ｙ)に基づいて得た上記チャンネルの上記推定されたインパルス応答関数(ｈk)を変更して、変更されたインパルス応答関数(ｈｍk)を得るという段階を含む方法において、
上記経歴情報(ｗｉｎk)を上記インパルス応答関数(ｈk)の振幅(｜ｈk｜)に基づいて導出し、
現在インパルス応答関数(ｈk)の平方振幅(｜ｈk｜2)と、以前の経歴情報(ｗｉｎk-1)との和に基づいて新たな経歴情報(ｗｉｎk)を導出し、
各新たな経歴情報(ｗｉｎk)を所定係数(ａ)で重み付けし、この係数は、インパルス応答関数変更に対する経歴の影響を定めるものであり、そして
各新たな経歴情報を、次の式を用いて計算し、
ｗｉｎk＝ａ＊(｜Ｒｅ{ｈk}｜2＋｜Ｉｍ{ｈk}｜2＋ｗｉｎk-1)
ここで、ｗｉｎkは新たな経歴情報であり、ｗｉｎk-1は以前の経歴情報であり、ａは所定の係数であり、｜Ｒｅ{ｈk}｜2は、現在インパルス応答関数ｈkの実数部の絶対値の平方値の複素数表示であり、そして｜Ｉｍ{ｈk}｜2は、現在インパルス応答関数ｈkの虚数部の絶対値の平方値の複素数表示であり、｜Ｒｅ{ｈk}｜2＋｜Ｉｍ{ｈk}｜2の和は、インパルス応答関数ｈkの振幅を表すものであり、
上記インパルス応答関数(ｈ)、上記経歴情報(ｗｉｎ)及び上記変更情報(ｍｗｉｎ)は、複数の成分ｉ（１≦ｉ≦ｎ）のベクトルとして表され、数値ｎは、採用されたチャンネルモデルに基づいて決定され、そして数値ｎは、チャンネルにおける多経路信号伝播に対して仮定された経路の数に対応し、そして各方法段階は、各ベクトル成分に対して実行され、
上記変更情報(ｍｗｉｎi:k)の第ｉ番目の成分は、現在経歴情報(ｗｉｎi:k)の対応するベクトル成分を、現在経歴情報の上記ｎ個のベクトル成分中の最大値(ｍａｘ(ｗｉｎk))で次のように重み付けすることにより決定され、
ｍｗｉｎi:k＝ｗｉｎi:k／ｍａｘ(ｗｉｎk)
上記変更されたインパルス応答関数(ｈｍk)は、上記現在推定インパルス応答関数(ｈk)に、各ベクトル成分に対する上記変更情報(ｍｗｉｎk)を乗算することにより得られる、
ｈｍi:k＝ｈi:k＊ｍｗｉｎi:k 
＝(Ｒｅ{ｈi:k}＋Ｉｍ{ｈi:k})＊ｍｗｉｎi:k
ことを特徴とする方法。
【請求項２】
上記変更されたインパルス応答(ｈｍk)を使用することにより上記受信信号(ｙ)をイコライズして、最初に送信された信号(ｙ')を再構成する段階を更に含む請求項１に記載の方法。
【請求項３】
上記信号(ｙ)は、ＴＤＭＡ方法に基づきバースト単位で送信され、そして更に、
上記チャンネルの推定インパルス応答関数(ｈk)を推定する上記段階を、所定のトレーニングシーケンス(ＴＲ＿ＳＥＱ)を含むバーストが受信されるたびに上記推定インパルス応答関数が得られるように制御するという段階を含む請求項１に記載の方法。
【請求項４】
上記所定係数(ａ)は、１未満の値にセットされる請求項１に記載の方法。
【請求項５】
送信チャンネル(1)を経て送信された受信信号(ｙ)を処理するための装置であって、最初に受信された受信信号(ｙ)に基づいて上記チャンネル(1)の推定インパルス応答関数(ｈk)を得るための推定手段(2,2a)と、少なくとも１つの以前に推定されたインパルス応答関数に基づいて、経歴情報(ｗｉｎk)を導出するための導出手段(3;3a-3f)と、上記経歴情報(ｗｉｎk)に基づいて変更情報(ｍｗｉｎk)を計算するための計算手段(4;4a,4b)と、上記受信信号(ｙ)に基づいて得た上記チャンネルの上記推定されたインパルス応答関数(ｈk)に上記変更情報(ｍｗｉｎk)を適用することにより、上記受信信号(ｙ)に基づいて得た上記チャンネルの上記推定されたインパルス応答関数(ｈk)を変更して、変更されたインパルス応答関数(ｈｍk)を出力するための変更手段(5)とを備えた装置において、
上記導出手段(3)は、上記インパルス応答関数(ｈk)の振幅(｜ｈk｜)を導出するための第１分析ユニット(3a)を備え、そして上記導出手段(3)は、上記振幅に基づいて経歴情報(ｗｉｎk)を導出するように構成され、
上記導出手段(3)は、現在インパルス応答関数(ｈk)の平方振幅(｜ｈk｜2)を出力する平方ユニット(3c)の出力と、以前の経歴情報(ｗｉｎk-1)を一時的に記憶するバッファユニット(3d)の出力とを加算するための加算ユニット(3b)を備え、
上記導出手段(3)は、更に、上記加算ユニット(3b)の上記出力信号をプリセット係数(ａ)で重み付けするための第１重み付けユニット(3e)を備え、この係数は、インパルス応答関数変更に対する経歴の影響を定めるものであり、そして
上記導出手段(3)は、次の信号処理に基づいて各新たな経歴情報を表す出力信号を出力するように構成され、
ｗｉｎk＝ａ＊(｜Ｒｅ{ｈk}｜2＋｜Ｉｍ{ｈk}｜2＋ｗｉｎk-1)
ここで、ｗｉｎkは新たな経歴情報信号であり、ｗｉｎk-1は、上記バッファユニットに一時的に記憶された以前の経歴情報信号であり、ａはプリセット係数であり、｜Ｒｅ{ｈk}｜2は、現在インパルス応答関数ｈkの実数部の絶対値の平方値の複素数表示であり、そして｜Ｉｍ{ｈk}｜2は、現在インパルス応答関数ｈkの虚数部の絶対値の平方値の複素数表示であり、｜Ｒｅ{ｈk}｜2＋｜Ｉｍ{ｈk}｜2の和は、インパルス応答関数ｈkの振幅を表すものであり、
上記インパルス応答関数(ｈ)信号、上記経歴情報(ｗｉｎ)信号及び上記変更情報(ｍｗｉｎ)信号は、複数のベクトル成分ｉ（１≦ｉ≦ｎ）のベクトル信号として表され、数値ｎは、採用されたチャンネルモデルに基づいて決定され、そしてチャンネルにおける多経路信号伝播に対して仮定された経路の数に対応し、そして各装置は、各ベクトル成分を並列処理するように構成され、
上記計算手段(4)は、現在経歴情報(ｗｉｎi:k)の対応するｉ番目のベクトル成分を現在経歴情報(ｍａｘ(ｗｉｎk))信号の上記ｎ個のベクトル成分信号中の最大値で重み付けすることにより、上記変更情報(ｍｗｉｎi:k)信号の各ｉ番目の成分を次のように生じる信号処理を遂行するように構成された第２重み付けユニット(4a)を備え、上記最大値信号は、最大値決定ユニット(4b)の出力に与えられ、
ｍｗｉｎi:k＝ｗｉｎi:k／ｍａｘ(ｗｉｎk)
上記変更手段(5)は、上記現在推定されたインパルス応答関数(ｈk)信号に、各ベクトル成分に対する上記変更情報(ｍｗｉｎk)を乗算することに基づいて、上記変更されたインパルス応答関数(ｈｍk)信号を次のように生じる信号処理を遂行する、
ｈｍi:k＝ｈi:k＊ｍｗｉｎi:k 
＝(Ｒｅ{ｈi:k}＋Ｉｍ{ｈi:k})＊ｍｗｉｎi:k
ことを特徴とする装置。
【請求項６】
制御信号として供給される上記変更されたインパルス応答(ｈｍk)に基づいて上記受信信号(ｙ)をイコライズしそして最初に送信された信号(ｙ')を出力するためのイコライザ手段(6)を更に備えた請求項５に記載の装置。
【請求項７】
上記信号(ｙ)は、ＴＤＭＡ方法に基づきバーストの単位で送信され、そして更に、
所定のトレーニングシーケンス(ＴＲ＿ＳＥＱ)を含むバーストが受信されるたびに上記推定手段(2,2a)が作動状態にされるように上記推定手段を制御するための制御手段(7)を更に備えた請求項５に記載の装置。
【請求項８】
上記プリセット係数(ａ)は、係数設定ユニット(3f)において１未満の値にセットされる請求項５に記載の装置。
【発明の詳細な説明】
【０００１】
【技術分野】
本発明は、送信チャンネルを経て送信された受信信号を処理する方法及びそれに対応する装置に係る。より詳細には、本発明は、ＴＤＭＡシステムにおいてチャンネルインパルス応答を変更する方法及びそれに対応する装置に係る。
【０００２】
【背景技術】
近年、移動無線テレコミュニケーションシステムが広く普及してきた。このような移動無線テレコミュニケーションシステムは、例えば、ＧＳＭ規格のような共通に合意された規格に基づいて動作する。ＧＳＭ規格によれば、データ送信は時分割多重アクセス（ＴＤＭＡ）方法に基づいて実行される。ＴＤＭＳ送信原理は、データがフレームの各指定のタイムスロット中にのみ送信器から受信器へそしてそれとは逆に送信される。
このようなテレコミュニケーションシステムにおけるデータ送信は、デジタルデータ送信に実質的に依存する。しかしながら、加入者ターミナルのような移動無線トランシーバ装置（以下、移動ステーションＭＳ）と、サービス無線ネットワーク要素のような固定無線トランシーバ装置（以下、ベースステーションＢＳ）との間では、データをアナログデータとしてエアインターフェイスＵｍを経て送信しなければならない。
【０００３】
従って、移動ステーションＭＳにより送信されるデータは、ベースステーションＢＳの受信装置のベースステーションアンテナ手段によりアナログ信号として受信される。受信装置によりこのように受信されたデータを更に処理する間に、アナログデータは、アナログ／デジタル変換され、即ちＡ／Ｄコンバータ手段に通される。次の処理段階では、得られたデジタルデータがイコライザ手段に送られて、イコライズされる。このようにして得られた出力データは、次いで、チャンネルコーデック手段へ送られ、データがコード化／デコードされる。受信側では、関連シグナリングデータから受信スピーチデータを分離するためにデコード動作が実行される。
この処理中には受信データのイコライズ動作に特に注意を払わねばならない。というのは、受信側では、受信信号の混合体から送信信号を再構成するためにイコライズ動作が必要とされるからである。
【０００４】
例えば、無線テレコミュニケーションネットワークにおいて、ベースステーションＢＳと、そのベースステーションの無線カバレージエリアに１つの移動ステーションＭＳしか存在しない状態を仮定する。従って、移動ステーションＭＳから送信された信号ｓは、時間ｓ(ｔ)に視線に沿って直接ベースステーションＢＳに到達する。しかしながら、同じ信号ｓが、その環境内に存在する例えばビルや山等によって反射される。従って、従って、同じ信号がその後の時間ｓ(ｔ＋Ｔ)にベースステーションＢＳに到達し、信号ｓ(ｔ)に重畳される。この遅延Ｔのために、両受信信号は、もはや互いに同相ではない。更に、遅延信号ｓ(ｔ＋Ｔ)は、送信経路が長いために、信号ｓ(ｔ)より更に減衰される。従って、移動ステーションＭＳから発信されてベースステーションＢＳにより受信される信号は、歪が生じる。ここで、別の移動ステーションＭＳ’が更に存在すると仮定すれば、ベースステーションＢＳによって信号ｓ’(ｔ’)、ｓ’(ｔ’＋Ｔ’)が付加的に受信され、各送信データ記号間に干渉を招く（記号間干渉）。
【０００５】
それ故、イコライザ手段は、受信信号ｓ(ｔ)、ｓ(ｔ＋Ｔ)、ｓ’(ｔ’)、ｓ’(ｔ’＋Ｔ’)の混合体から、最初に送信された信号ｓ(ｔ)及び／又はｓ’(ｔ’)を再構成（検出）しなければならない。
このように再構成された（又は検出された）信号は、最初に送信された信号とできるだけ同じであることが必要とされる。それ故、この再構成は、イコライザを例えばベースステーションＢＳの受信装置に使用するように設計するときに主に問題となる。
これまで、移動テレコミュニケーションシステムに使用される受信装置のイコライザにおいては、チャンネルインパルス応答（ＣＩＲ）が推定され、そしてこのように推定されたチャンネルインパルス応答を用いて、送信データ記号が検出即ち再構成される。
【０００６】
推定されたチャンネルインパルス応答は、通常、データ記号の流れの受信サンプルをベースとするものである。それ故、実際の（観察された）チャンネルインパルス応答の推定となる。しかしながら、チャンネルインパルス応答にエラーがあると、受信したデータ記号から送信データ記号を検出／再構成するときに性能低下を招く。
従来の解決策では、上記推定されたチャンネルインパルス応答は、理想的であると仮定され、従って、エラーは無視され、そしてデータ記号再構成のためのものであるかのように使用される。しかしながら、この解決策は、観察されたチャンネルインパルス応答のエラーが考慮されないので、満足なものではない。
【０００７】
イコライザの性能を改善するための別の既知の解決策が、モトローラ社に譲渡されたラベズ氏等の米国特許第５，２５１，２３３号に開示されている。そこに開示された基本的な考え方は、インパルス応答においてタップのエネルギーを推定することである。所定のスレッシュホールドレベルより低いエネルギーを有するタップは、推定チャンネルインパルス応答におけるノイズを減少するためにゼロ化される。この従来提案された方法は、複素数タップ又は実数タップに適用することができ、即ち実数タップ及び虚数タップに対して別々に実行することができる。ラベズ氏の特許に開示された方法は、干渉信号に重畳されるノイズ信号をＮとすれば、チャンネル干渉比Ｃ／Ｉ又はＣ／(Ｉ＋Ｎ)が低く且つチャンネルのクオリティが悪い状態において、再生された検出信号（これは、受信器のクオリティに対する指示）におけるビットエラー率ＢＥＲを改善（即ち減少）する。この方法は、短いインパルス応答を有するチャンネルにも有効である。（「タップ」とは、使用する回路の対応ＦＩＲモデルの各遅延要素の係数を指す。従って、タップ値に基づいて、送信関数の極及びゼロを計算することができる。）
【０００８】
しかしながら、良好なチャンネル状態のもとでは、ラベズ氏等により提案された方法は、あるタップの振幅係数のゼロ化に起因して受信器性能を低下させる。
文書ＥＰ−Ａ−０７９３３５９Ａ２号は、独立請求項１及び８の序文に各々基づいて送信チャンネルを経て送信された受信信号を処理するための方法及び対応装置を開示している。
同様に、米国特許第５，３０３，２６３号も、独立請求項１及び８の序文に各々基づいて送信チャンネルを経て送信された受信信号を処理するための方法及び対応装置を開示している。
又、米国特許第５，３２５，４０２号も、独立請求項１及び８の序文に各々基づいて送信チャンネルを経て送信された受信信号を処理するための方法及び対応装置を開示している。
【０００９】
【発明の開示】
そこで、本発明の目的は、送信チャンネルを経て送信された受信信号を処理するための方法を提供すると共に、受信器の性能を更に改善する対応装置を提供することである。
この目的は、請求項１に記載の、送信チャンネルを経て送信された受信信号を処理するための方法によって達成される。
更に、上記目的は、請求項８に記載の、送信チャンネルを経て送信された受信信号を処理するための装置によって達成される。
更に別の効果的な開発は、各従属請求項に記載する。
【００１０】
本発明により提案された方法は、実施が非常に容易であり、そしてそれに対応する装置は、複雑さの低いハードウェア構造体を使用できる。本発明が実施された装置で得られる第１の結果によれば、受信器の性能は、低いビットエラー比に関して著しく改善される。ビットエラー比は、本発明が実施されない公知の構成体に比して、平均で１／３に減少される。特に、本発明者は、本発明が「ショート・チャンネル」において受信器の性能を著しく改善することが分かった。ここで使用する「ショート・チャンネル」という用語は、静的なチャンネル（即ち永久的に指定された又はアクティブな）や、多少平面的な田舎の環境を表す田園地帯に確立されるチャンネルを意味する。又、本発明は、丘陵地帯に確立されるチャンネルや、典型的な都市環境に確立されるチャンネルも改善するが、これに関連した改善は、「ショート・チャンネル」に関連して達成される改善に比して、あまり顕著ではない。
更に、本発明は、チャンネルインパルス応答を改善するための他の概念、例えば、同じ出願人の国際特許出願ＰＣＴ／ＥＰ９８／０４５６２号に開示された概念に容易に適用及び組合せすることができる。このような組合せは、推定されたチャンネルインパルス応答関数を変更するための変更手段に更に別の各制御信号（変更信号）を付加的に供給することによって達成できる。
【００１１】
【発明を実施するための最良の形態】
以下、添付図面を参照して、本発明の好ましい実施形態を詳細に説明する。
従来の解決策によれば、推定チャンネルインパルス応答関数は、受信したデータ流、即ちＴＤＭＡフレームのタイムスロット中に受信したバーストに含まれた情報を使用して変更される。
これに対して、本発明は、このような受信したバースト情報を使用するだけでなく、以前の（過去の）チャンネルインパルス応答関数の知識を付加的に使用し且つそのような経歴情報を付加的に使用して、推定チャンネルインパルス応答関数を変更することを提案する。
本発明の上記基本的な考え方を以下に詳細に説明する。この点について、次のような定義／仮定を行う。
【００１２】
送信チャンネル１の振舞いは、チャンネルがある数の多経路成分を有すると仮定するチャンネルのモデルによって表わされる。移動ステーションＭＳから発信する信号ｓ(ｔ)及びｓ(ｔ＋Ｔ)を受信するベースステーションＢＳの上記例においては、２経路チャンネルが仮定される。）このようなチャンネルモデルに対して、インパルス応答関数ｈが決定又は推定され、これは、ｎ個の成分のベクトルとして表わされ、成分の数は、チャンネルのモデリングされた多経路成分の数に依存し、そして各成分は、実数部及び虚数部を有する複素数値として表わすことができる。それ故、特に指示のない限り、以下に述べる全ての信号は、複素数表示のｎ成分ベクトル信号であると仮定する。インデックスｋ−１、ｋ等は、信号間の相互時間関係を表わす。例えば、現在信号がインデックス（ｋ）で表わされる場合に、その手前の信号は、インデックス（ｋ−１）で表わされる。
【００１３】
以下、本発明による方法の原理を説明する。
経歴情報の基礎となる物理的パラメータは、多経路チャンネル成分の位相及び／又は振幅である。これらの物理的パラメータは、インパルス応答関数ｈの係数によって対応的に表わされる。
このような多経路チャンネル成分の位相は、若干急速に変化する。従って、この位相を分析して、チャンネルインパルス応答関数に関する短時間経歴情報を得ることができる。このような多経路チャンネル成分の振幅は若干ゆっくりと変化する。従って、振幅を分析して、チャンネルインパルス応答関数に関する長時間経歴情報を得ることができる。
【００１４】
先ず、推定チャンネルインパルス応答関数ｈkが最初に推定される。良く知られたように、ＴＤＭＡシステムにおける推定チャンネルインパルス応答関数の推定は、ＴＤＭＡフレームのタイムスロットにおけるバーストとして所定の時間に送信される既知の所定のトレーニングシーケンスＴＲ＿ＳＥＱを検出することをベースとする。
その後、推定チャンネルインパルス応答関数ｈk及び少なくとも１つの以前の経歴情報ｗｉｎk-1に基づいて、新たな経歴情報ｗｉｎkが導出される。このような新たな経歴情報ｗｉｎkの導出は、次の関係に基づいて得られる。
ｗｉｎk＝ａ＊(｜Ｒｅ{ｈk}｜2＋｜Ｉｍ{ｈk}｜2＋ｗｉｎk-1)      （１）
ここで、ｗｉｎkは新たな経歴情報であり、ｗｉｎk-1は以前の経歴情報であり、ａは所定の係数であり、｜Ｒｅ{ｈk}｜2は、現在インパルス応答関数ｈkの実数部の絶対値の平方値の複素数表示であり、そして｜Ｉｍ{ｈk}｜2は、現在インパルス応答関数ｈkの虚数部の絶対値の平方値の複素数表示であり、｜Ｒｅ{ｈk}｜2＋｜Ｉｍ{ｈk}｜2の和は、インパルス応答関数の振幅の平方値｜ｈk｜2を表している。上記関係式（１）は、インパルス応答関数の各ベクトル成分ｉ（１≦ｉ≦ｎ）に対して評価される。
【００１５】
係数ａは、スケーリング又は重み付けのためのファクタであり、そして現在変更されるべきチャンネルインパルス応答関数ｈの変更に経歴情報が影響するところの程度を指示する。係数ａは、１未満の値（ａ＜１）にセットされ、例えば、０．２５の値にセットされる。
チャンネル１を確立する際にこの方法の実行がスタートし、そしてチャンネルインパルス応答関数ｈの最初の推定が行われると仮定すれば、経歴情報ｗｉｎ0は、経歴がまだ得られないので、ゼロの値にセットされねばならない。
従って、式（１）に基づき、その後の経歴情報ｗｉｎkは、次のようになる。
ｗｉｎ1＝ａ＊(｜ｈ1｜2＋ｗｉｎ0)＝ａ＊｜ｈ1｜2
ｗｉｎ2＝ａ＊(｜ｈ2｜2＋ｗｉｎ1)＝ａ＊｜ｈ2｜2＋ａ2＊｜ｈ1｜2   （２）
ｗｉｎ3＝ａ＊(｜ｈ3｜2＋ｗｉｎ2)
＝ａ＊｜ｈ3｜2＋ａ2＊｜ｈ2｜2＋ａ3＊｜ｈ1｜2
【００１６】
係数ａを１未満の値にセットすることにより、経歴情報の影響が小さくなるほど、経歴情報が古くなるように確保する。この影響は、例えば、係数ａ2、ａ3等（ａ＜１）又は他の適当な関数関係でスケーリング／重み付けを実行するときに更に且つより迅速に減少することができる。
このように導出される現在経歴情報ｗｉｎに基づいて、各ベクトル成分に対して変更情報ｍｗｉｎを次のように計算することができる。
ｍｗｉｎi:k＝ｗｉｎi:k／ＭＡＸ(ｗｉｎk)                （３）
但し、ｍｗｉｎi:kは、時間ｔkにおける変更情報ｍｗｉｎの第ｉ番目のベクトル成分であり、ｗｉｎi:kは、時間ｔkにおける経歴情報ｗｉｎの第ｉ番目のベクトル成分であり、そしてＭＡＸ(ｗｉｎk)は、時間ｔkにおける経歴情報ｗｉｎkの全ベクトル成分ｉ（１≦ｉ≦ｎ）の最大値を表わす。（又、変更情報を計算するための他の関係も考えられる。）
【００１７】
このようにして得られた変更係数ｍｗｉｎは、インパルス応答関数の各ベクトル成分に対して０と１との間に保持される。
このようにして得られた変更情報に基づいて、推定チャンネルインパルス応答関数ｈが、各ｉ番目のベクトル成分に対して、例えば、以下に示すように変更される。
ｈｍi:k＝ｈi:k＊ｍｗｉｎi:k
＝(Ｒｅ{ｈi:k}＋Ｉｍ{ｈi:k})＊ｍｗｉｎi:k              （４）
＝Ｒｅ{ｈi:k}＊ｍｗｉｎi:k＋Ｉｍ{ｈi:k}＊ｍｗｉｎi:k
現在推定されたチャンネルインパルス応答関数ｈkは、以前に推定されたチャンネルインパルス応答関数ｈk-1の経歴情報ｗｉｎk-1と、現在チャンネルインパルス応答関数ｈkとをベースとする変更情報ｍｗｉｎkを使用して変更され、これにより、変更されたチャンネルインパルス応答関数ｈｍkが得られることに注意されたい。
【００１８】
この変更されたチャンネルインパルス応答関数は、次いで、送信チャンネルを経て受信された信号ｙをイコライズして、最初に送信された信号ｙ’を再構成するのに使用される。
上記方法を実施するように構成された方法を、添付図面を参照して以下に説明する。
図１は、本発明による装置の基本的なブロック図である。
例えば、移動ステーションＭＳ（図示せず）のような送信者（送信装置）から初期送信信号ｙ’が送信される。この初期送信信号ｙ’は、送信チャンネル１を経て送信される。このチャンネル１は、例えば、送信側のＤ／Ａコンバータ手段及びコード／変調手段と、送信アンテナ手段と、エアインターフェイスと、受信アンテナ手段と、例えば、ベースステーションＢＳのような受信側のＡ／Ｄコンバータ手段とが連続するものとみなされる。チャンネル１は、多経路チャンネルであり、そして初期送信信号ｙ’は、イコライズされるべき（歪んだ）信号ｙとして受信される。
【００１９】
それ故、信号ｙは、受信信号ｙから初期送信信号ｙ’を再構成するためのイコライザ手段６に直接供給される。歪んだ信号をイコライズすることは、一般に、受信信号ｙに、チャンネルとは逆の伝達関数を有する処理を受けさせることにより達成される。しかしながら、このためには、チャンネルインパルス応答関数が分からねばならない。
それ故、本発明によれば、受信信号ｙは推定手段２にも供給される。この推定手段２は、推定チャンネルインパルス応答関数ｈを推定する。その推定処理は、受信信号ｙの一部分、即ち既知のトレーニングシーケンスＴＲ＿ＳＥＱのみをベースとするものであり、これは、例えば、トレーニングシーケンス記憶手段２ａに記憶されそして推定手段によって使用される。トレーニングシーケンスＴＲ＿ＳＥＱは、データ流において所定の時間にのみ送信される。それ故、制御手段７は、タイミング制御信号ＣＴＲＬにより装置の全動作を制御する。制御手段７は、トレーニングシーケンスＴＲ＿ＳＥＱがＴＤＭＡフレームのタイムスロットにおけるバーストとして送信される時間に対応するサイクルで装置を動作させる。
【００２０】
従って、制御信号ＣＴＲＬは、推定手段２に送られると共に、以下に説明する導出手段３、計算手段４及び変更手段５にも送られる。
推定チャンネルインパルス応答関数ｈは、ベクトル信号で表わされ、ベクトル信号は、インパルス応答関数の各係数値を表す。対応するベクトル信号（以下、「関数」とも称する）は、導出手段３に供給されると共に、変更手段５にも供給される。
推定チャンネルインパルス応答関数ｈを表わすベクトル信号に基づいて、導出手段３は、チャンネルインパルス応答関数ｈの経歴を表わす、即ち各チャンネルインパルス応答関数の過去の（以前の）パラメータを考慮した経歴情報ｗｉｎを導出する。従って、これらの以前のパラメータは、送信チャンネルの状態の変化を表わす。推定手段２がチャンネルインパルス応答関数ｈkを推定するたびに、この導出手段３により経歴情報ｗｉｎkが更新される。導出手段３は、少なくとも最新の経歴情報ｗｉｎkの記録を常に保持する。
【００２１】
各更新された経歴情報ｗｉｎkに基づいて、計算手段４は、変更情報ｍｗｉｎkを計算する。この変更情報ｍｗｉｎkは、制御信号として変更手段５へ供給され、現在推定されたチャンネルインパルス応答関数ｈkを表わすベクトル信号が変更される。
即ち、導出手段３及び計算手段４による処理には、ある程度の、無視できる遅延が存在するが、変更手段５は、現在計算された変更情報ｍｗｉｎkを使用して、現在受信された信号ｙに基づく現在推定されたチャンネルインパルス応答関数ｈkを変更する。
変更されたチャンネルインパルス応答関数ｈｍを表わすベクトル信号は、次いで、変更手段５から出力されて、イコライザへ制御信号として供給される。イコライザは、信号ｈｍによって制御され、そして初期送信信号ｙ’に厳密に対応する再構成された信号ｙ’を出力する。
【００２２】
図２は、導出手段３の実施を詳細に示すブロック回路図である。
現在推定されたチャンネルインパルス応答関数ｈkを表わす信号は、ｎ成分のベクトル信号として導出手段３へ供給される。
導出手段は分析ユニット３ａを備え、これは、ベクトル信号を分析し、そしてチャンネルの物理的パラメータ及びそれらの時間変化を表わす分析結果を得る。例えば、図２に示す導出手段３は、チャンネルインパルス応答関数信号の大きさ｜ｈk｜で表わされた多経路チャンネル成分の振幅に基づいて経歴情報ｗｉｎkを導出する。各ベクトル信号成分ｉの大きさ信号｜ｈk｜は、次いで、平方ユニット３ｃへ供給され、その平方値｜ｈk｜2が得られる。
【００２３】
各平方値を表す信号は、加算ユニット３ｂの第１入力端子に供給される。加算ユニット３ｂの他の入力端子には、以前の経歴情報信号ｗｉｎk-1が供給される。各以前の経歴情報信号の記録は、バッファユニット３ｄに保持され、これは、各以前の経歴情報信号ｗｉｎk-1を一時的に記憶する。上述したように、装置を初期化する際に経歴情報のスタート値としてゼロの値をバッファユニットに記憶できることに注意されたい。
加算ユニットの出力信号は、第１重み付けユニット３ｅに供給される。この第１重み付けユニット３ｅは、加算ユニットの出力信号を所定の係数ａで重み付け及び／又はスケーリングする。係数ａは、係数設定ユニット３ｆにより所望値にセットすることができ、所望値は、１未満でなければならない。
【００２４】
第１重み付けユニット３ｅにより出力される重み付けされた信号ｗｉｎkは、バッファユニット３ｄへフィードバックされ、その後の処理サイクルに使用されるべき経歴情報の記録としてそこに保持される。
又、信号ｗｉｎkは、導出手段からｎ成分の経歴情報ベクトル信号として出力され、そして計算手段４へ供給される。
図３は、計算手段４の実施を詳細に示すブロック回路図である。
導出手段３から出力される経歴情報信号ｗｉｎkは、計算手段４の一部分を形成する第２重み付けユニット４ａに供給される。経歴情報信号ｗｉｎkは、計算ユニット４内で分岐されて、計算手段４の別の部分である最大値決定ユニット４ｂに供給される。この最大値決定ユニット４ｂは、現在供給された全てのベクトル成分信号の中で最大値を有する経歴情報ベクトル信号ｗｉｎkのベクトル成分信号ｗｉｎi:kの１つに対応する信号を出力する。各ベクトル成分信号ｗｉｎi:kは、次いで、上記最大値信号による除算を受けるという点で上記第２重み付けユニット４ａにより重み付けされる。第２重み付けユニット４ａから出力される重み付けされた信号は、変更情報信号ｍｗｉｎkとして変更手段５へ出力される。
【００２５】
変更手段５は、チャンネルインパルス応答関数を表わす信号ｈの各成分ｉに、変更情報信号ｍｗｉｎの各成分ｉを乗算して、信号再構成のためのイコライザ手段６へ供給されるべき変更されたチャンネルインパルス応答関数ｈｍを表わすベクトル信号を出力する簡単な乗算手段として実現することができる。
上述したように、本発明は、チャンネルインパルス応答を変更するための他の概念と効果的に組合せることができる。
図４は、例えば、本出願人の最近出願された国際特許出願ＰＣＴ／ＥＰ９８／０４５６２号に開示されたような、チャンネルインパルス応答関数を変更ための構造体に本発明を組合せたときの基本的なブロック図である。
この構造体は、図１に示すものと実質的に同じである。その相違点は、次の通りである。
【００２６】
変化推定手段８（これも信号ＣＴＲＬにより制御される）及びそれに関連したトレーニングシーケンス記憶手段８ａが付加的に設けられる。（しかしながら、記憶手段８ａは、上記の記憶手段２ａと同じであってもよい。）変化推定手段８は、上記特許出願ＰＣＴ／ＥＰ９８／０４５６２号に開示された方法に基づいて動作し、そして変更手段５’に送られる制御信号ＶＡＲを出力する。変更推定手段８の詳細については、上記特許出願ＰＣＴ／ＥＰ９８／０４５６２号を参照されたい。
図４に示す変更手段５’は、２つの制御信号、即ち上述したように得られるｍｗｉｎと、上記特許出願ＰＣＴ／ＥＰ９８／０４５６２号に開示されたように得られるＶＡＲとに基づいて、チャンネルインパルス応答関数ｈを表わす信号を変更するように構成される。
【００２７】
更に、別の手段（図示せず）も考えられる。このような更に別の変更によれば、本発明によるチャンネルインパルス応答変更の後に変化推定を行うこともできる。これは、手段８の１つの入力端子を変更手段５（図１）の出力に接続して、信号ｈｍを供給し、そして制御信号ＶＡＲを上記特許出願に開示された原理に基づいて動作する更に別の変更手段に接続し、これにより、イコライザ６に供給される「変更されて変更された」チャンネルインパルス応答信号（２段の又はカスケード状の変更）を出力することを意味する。
添付図面を参照した上記説明は、本発明を単に例示するものに過ぎないことを理解されたい。従って、本発明の好ましい実施形態は、請求の範囲内で変更することができる。
【図面の簡単な説明】
【図１】  本発明による装置の基本的なブロック回路図である。
【図２】  導出手段の実施を詳細に示すブロック回路図である。
【図３】  計算手段の実施を詳細に示すブロック回路図である。
【図４】  例えば、最近出願された国際特許出願ＰＣＴ／ＥＰ９８／０４５６２号に開示されたような、チャンネルインパルス応答関数を改善する他の構造体に本発明を組合せたときの基本的なブロック図である。
【図１】
0003831194.tif 000002
【図２】
0003831194.tif 000003
【図３】
0003831194.tif 000004
【図４】
0003831194.tif 000005